(57)【要約】【課題】植物の成長に悪影響が及ぶことを抑制しながら、植物栽培装置内部の付着菌や栽培空間の浮遊菌の繁殖を抑制することが可能な植物栽培装置を提供する。【解決手段】植物栽培装置１は、扉４により前面が開閉される栽培室３と、栽培室３を上下方向に３段に区分した栽培室３の内底面及び各仕切り部５の上面に配置した栽培トレー７と、各段の天井部に設けた照明部８と、各段の壁部の上部に設けた水平方向より３０°上方に向けて栽培室３内に空気を吹き出す吹出口１０と、栽培室３内の空気が流出する戻り口１１と、戻り口１１と吹出口１０とを連通させる送風ダクト９と、戻り口１１から送風ダクト９の内部に流入する空気を吹出口１０に向けて送風ダクト９の内部で流通させる送風ファン１２と、送風ダクト９の内部を流通する空気にイオンを放出するイオン発生装置１３と、を備える。【選択図】図１
2015008673.tif 000002
【特許請求の範囲】
【請求項１】
扉により前面が開閉される栽培室と、
前記栽培室を上下方向に複数段に区分するように配置した植物を成長させる培養基と、
前記段各々の天井部に設けた照明部と、
前記段各々の壁部の上部に設けた水平方向より上方に向けて前記栽培室内に空気を吹き出す吹出口と、
前記栽培室内の空気が流出する戻り口と、
前記戻り口と前記吹出口とを連通させる送風ダクトと、
前記戻り口から前記送風ダクトの内部に流入する空気を前記吹出口に向けて前記送風ダクトの内部で流通させる送風ファンと、
前記送風ダクトの内部を流通する空気にイオンを放出するイオン発生装置と、
を備えることを特徴とする植物栽培装置。
【請求項２】
前記培養基に植えた植物の成長に伴って前記送風ファンが流通させる空気の風速を増加させることを特徴とする請求項１に記載の植物栽培装置。
【請求項３】
前記照明部とその上方に配置した前記培養基との間に設けた断熱材を備えることを特徴とする請求項１または請求項２に記載の植物栽培装置。
【発明の詳細な説明】
【技術分野】
【０００１】
本発明は植物栽培装置に関する。
【背景技術】
【０００２】
従来、自然条件の変動に左右されることなく植物の成長の促進を図るための植物栽培装置が知られている。植物栽培装置では植物の栽培環境における光や温度、湿度などといった植物の成長に影響を及ぼし得る条件を好適に制御することが試みられている。このような従来の植物栽培装置の一例が特許文献１に開示されている。
【０００３】
特許文献１に記載された従来の植物栽培装置はラジカルを含む微粒子を発生させる微粒子発生部としてミスト発生部を備える。そして、この従来の植物栽培装置はラジカルを含む微粒子であるミストを直接植物に対して付与している。これにより、植物の菌の繁殖の抑制を図っている。
【先行技術文献】
【特許文献】
【０００４】
【特許文献１】特開２０１２−１６５７１８号公報
【発明の概要】
【発明が解決しようとする課題】
【０００５】
しかしながら、上記従来の植物栽培装置はラジカルを含む微粒子（ミスト）を直接植物に対して付与しているので、菌の繁殖を抑制するためにミスト以外のものを用いる場合に思わぬ弊害を発生させる虞があることが懸念される。菌の繁殖を抑制するために、例えば菌の繁殖を抑制する成分を含んだ空気（気体）を用いる場合、植物に空気を直接当てると植物が乾燥してしまう可能性があり、植物の成長に悪影響が及ぶことがあるという問題があった。
【０００６】
本発明は上記の点に鑑みなされたものであり、植物の成長に悪影響が及ぶことを抑制しながら、植物栽培装置内部の付着菌や栽培空間の浮遊菌の繁殖を抑制することが可能な植物栽培装置を提供することを目的とする。
【課題を解決するための手段】
【０００７】
上記の課題を解決するため、本発明の植物栽培装置は、扉により前面が開閉される栽培室と、前記栽培室を上下方向に複数段に区分するように配置した植物を成長させる培養基と、前記段各々の天井部に設けた照明部と、前記段各々の壁部の上部に設けた水平方向より上方に向けて前記栽培室内に空気を吹き出す吹出口と、前記栽培室内の空気が流出する戻り口と、前記戻り口と前記吹出口とを連通させる送風ダクトと、前記戻り口から前記送風ダクトの内部に流入する空気を前記吹出口に向けて前記送風ダクトの内部で流通させる送風ファンと、前記送風ダクトの内部を流通する空気にイオンを放出するイオン発生装置と、を備えることを特徴としている。
【０００８】
この構成によれば、植物栽培装置内部の付着菌、栽培空間の浮遊菌の繁殖を抑制するためのイオンを含んだ空気が植物栽培装置の内部に十分に流通する。そして、そのイオンを含んだ空気は培養基を有する各段の上部から上方に向けて吹き出される。したがって、イオンを含んだ空気が植物に直接当たることが抑制される。さらに、イオンを含んだ空気は培養基を有する各段の天井部、すなわち照明部に向けて吹き出される。したがって、照明部の放熱性能も向上する。
【０００９】
また、上記構成の植物栽培装置において、前記培養基に植えた植物の成長に伴って前記送風ファンが流通させる空気の風速を増加させることを特徴としている。
【００１０】
この構成によれば、植物の成長の初期段階において空気の風速が比較的遅くなり、植物の成長の末期段階において空気の風速が比較的速くなる。植物の成長の初期段階、すなわち植物が未だ小さいときには空気の流通空間が比較的広いので、空気の風速はより遅いほうがイオンが滞留し易くなり有効である。さらに、植物が小さいときに空気の風速が比較的速いと、植物の体表からの蒸散が促進されて枯れてしまう虞があるので、空気の風速は比較的遅いほうが好ましい。植物の成長の末期段階、すなわち植物が大きく成長したときには空気の流通空間が比較的狭くなるので、空気の風速はより速いほうがイオンが隅々まで行き渡り易くなり有効である。
【００１１】
また、上記構成の植物栽培装置において、前記照明部とその上方に配置した前記培養基との間に設けた断熱材を備えることを特徴としている。
【００１２】
この構成よれば、照明部が発する熱が培養基に伝わることが妨げられる。したがって、イオンを含んだ空気が植物に直接当たることが抑制されることに加えて、培養基の温度が好適に維持される。
【発明の効果】
【００１３】
本発明の構成によれば、植物の成長に悪影響が及ぶことを抑制しながら、植物栽培装置内部の付着菌や栽培空間の浮遊菌の繁殖を抑制することが可能な植物栽培装置を提供することができる。
【図面の簡単な説明】
【００１４】
【図１】本発明の実施形態の植物栽培装置の垂直断面正面図である。
【図２】本発明の実施形態の植物栽培装置の水平断面下面図である。
【図３】本発明の実施形態の植物栽培装置の内部が見える状態を描いた外観斜視図である。
【図４】本発明の実施形態の植物栽培装置の構成を示すブロック図である。
【図５】本発明の実施形態の植物栽培装置の栽培状態を示す垂直断面正面図である。
【図６】本発明の実施形態の植物栽培装置の栽培状態を示す水平断面上面図である。
【図７】本発明の実施形態の植物栽培装置の吹出口の吹出角度を−３０°下向きにしたとき（比較例１）の栽培室のイオン分布を示す垂直断面側面図である。
【図８】本発明の実施形態の植物栽培装置の吹出口の吹出角度を０°水平にしたとき（比較例２）の栽培室のイオン分布を示す垂直断面側面図である。
【図９】本発明の実施形態の植物栽培装置の吹出口の吹出角度を＋３０°上向きにしたとき（実施例）の栽培室のイオン分布を示す垂直断面側面図である。
【図１０】本発明の実施形態の植物栽培装置の吹出口の吹出角度を−３０°下向き（比較例１）、０°水平（比較例２）、＋３０°上向き（実施例）にしたときの空気の流線比較を示す垂直断面正面図である。
【図１１】本発明の実施形態の植物栽培装置の吹出口の吹出角度を−３０°下向き（比較例１）、０°水平（比較例２）、＋３０°上向き（実施例）にしたときの空気の流線比較を示す水平断面上面図である。
【発明を実施するための形態】
【００１５】
以下、本発明の実施形態を図１〜図１１に基づき説明する。
【００１６】
＜第１実施形態＞
最初に、本発明の第１実施形態の植物栽培装置について、図１〜図６を用いてその構造と動作を説明する。図１は植物栽培装置の垂直断面正面図、図２は植物栽培装置の水平断面下面図、図３は植物栽培装置の内部が見える状態を描いた外観斜視図、図４は植物栽培装置の構成を示すブロック図である。図５及び図６はそれぞれ植物栽培装置の栽培状態を示す垂直断面正面図及び水平断面上面図である。なお、図２における上方が植物栽培装置の前面側（前方）であり、下方が植物栽培装置の背面側（後方）である。また、図３における左下方が植物栽培装置の前面側（前方）であり、右上方が植物栽培装置の背面側（後方）である。また、図１〜図３に記した白抜き矢印は空気の流通経路及び流通方向を示す。
【００１７】
植物栽培装置１は、図１に示すように断熱構造の本体筐体２を備える。本体筐体２はその内部に野菜などの植物を栽培するための栽培室３を備える。栽培室３の前面の開口部３ａは、図２に示す断熱構造の回動式の扉４によって開閉される。
【００１８】
栽培室３は２箇所の水平方向に延びる仕切り部５により仕切られ、図１及び図３に示すように上下方向に３段の栽培空間に区分される。仕切り部５はその内部に断熱材５ａを包含し、その上面側と下面側とに対して断熱構造を有する。仕切り部５は、扉４の閉鎖状態におけるその前後左右に、栽培室３の内面との間に局所的に隙間５ｂを備える（図２参照）。この隙間５ｂを通して、仕切り部５と上方と下方との空気の流通が可能である。
【００１９】
また、植物栽培装置１は、図４に示す温湿度調整部６を備える。温湿度調整部６は栽培室３の内部の温度、湿度の調整が可能であって、例えば圧縮機や冷却器等を有する一般的な直冷式の冷却サイクルや湿度調整用のヒータ、温度センサ、湿度センサなどからなる。温湿度調整部６は、栽培室３の内部を例えば温度２０℃〜２５℃、湿度５０％〜７５％に調整し、後述する栽培トレー７の表面温度を例えば２５℃以下に調整する。
【００２０】
栽培室３の内底面及び各仕切り部５の上面、すなわち栽培室３内の各段の最下部には栽培トレー７が配置される。栽培トレー７は野菜などの植物を成長させる培養基（培地）であり、栽培方式としては例えば水耕栽培方式が採用されるがこれに限定されるわけでもない。また、培養基（培地）はトレー状の部材に限定されるわけではない。
【００２１】
栽培トレー７を用いて野菜等の植物の栽培を行うと、概ね図５及び図６に示す栽培状態となる。図６に示すように、植物Ｐは栽培トレー７の平面上に例えば２４株が植え付けられる。そして、栽培が進むと、植物Ｐは概ね図６に示す状態まで成長する。なお、図５及び図６では、植物Ｐを概略的に正方形状、長方形状で描画している。
【００２２】
栽培室３の天井面及び各仕切り部５の下面、すなわち栽培室３内の各段の天井部には照明部８が設けられる。照明部８はそれぞれ、図２に示すように例えば３５個のＬＥＤ（Light Emitting Diode）光源８ａが格子状に配列されて構成される。ＬＥＤ光源８ａは例えば白色のＬＥＤチップと赤色のＬＥＤチップとの組合せからなり、植物の成長に好適な波長の光を予め調整して放射することができる。なお、光源の種類や構造、数量、配列などといった照明部８の構成は上記のものに限定されるわけではない。
【００２３】
図１〜図３に示すように、植物栽培装置１の右側面側であって背面側の角部には送風ダクト９が設けられる。送風ダクト９は上下方向に沿って延びている。そして、栽培室３内の各段の壁部の上部には空気の吹出口１０が設けられ、栽培室３の内底面近傍には空気の戻り口１１が設けられる。送風ダクト９は戻り口１１と吹出口１０とを連通させる。
【００２４】
送風ダクト９の内部の下部には送風ダクト９の内部に空気を流通させる送風ファン１２が設けられる。送風ファン１２は戻り口１１から送風ダクト９の内部に流入する空気を吹出口１０に向けて送風ダクト９の内部で流通させる。送風ファン１２を駆動させると、栽培室３内の各段の吹出口１０が栽培室３内に向けてそれぞれ空気を吹き出し、循環した栽培室３内の空気が戻り口１１から流出する。
【００２５】
なお、吹出口１０は水平方向より上方を指向し、例えば水平方向に対して３０°上方に向けて空気を吹き出す。なお、吹出角度は３０°上方に限定されるわけではなく、水平方向に対して上方を向いていれば、他の角度であっても良い。
【００２６】
送風ダクト９の内部には２個のイオン発生装置１３が設けられる。イオン発生装置１３は、送風ファン１２と下段の吹出口１０との間に１個が設けられ、上下方向中段の吹出口１０と上段の吹出口１０との間に１個が設けられる。
【００２７】
イオン発生装置１３はイオンを放出するための放電に用いる電極やその他電子部品がハウジング内に収容されてパッケージ化されている。イオン発生装置１３は例えば送風ダクト９に隣接させて形成された図示しない収納部に対して着脱可能にして収納される。イオン発生装置１３は送風ダクト９に臨む複数の電極を有し、送風ダクト９を流通する空気に対して電極で放電により発生させたイオンを含ませるように放出する。
【００２８】
イオン発生装置１３の正放電電極、負放電電極には交流波形またはインパルス波形から成る電圧が印加される。正放電電極には正電圧が印加され、コロナ放電による水素イオンが空気中の水分と結合して主としてＨ+（Ｈ2Ｏ）ｍから成る正イオンを発生する。負放電電極には負電圧が印加され、コロナ放電による酸素イオンが空気中の水分と結合して主としてＯ2-（Ｈ2Ｏ）ｎから成る負イオンを発生する。ここで、ｍ、ｎは任意の自然数である。Ｈ+（Ｈ2Ｏ）ｍ及びＯ2-（Ｈ2Ｏ）ｎは空気中の浮遊菌や臭い成分の表面で凝集してこれらを取り囲む。
【００２９】
そして、式（１）〜（３）に示すように、衝突により活性種である［・ＯＨ］（水酸基ラジカル）やＨ2Ｏ2（過酸化水素）を微生物等の表面上で凝集生成して浮遊菌や臭い成分を破壊する。ここで、ｍ’、ｎ’は任意の自然数である。したがって、イオン発生装置１３は送風ダクト９を流通する空気に対して正放電電極及び負放電電極で放電により発生させた正イオン及び負イオンを含ませるように放出することにより、例えば植物の付着菌や栽培室３内の浮遊菌の繁殖の抑制や、栽培室３内の脱臭を行うことができる。
【００３０】
Ｈ+(Ｈ2Ｏ)ｍ＋Ｏ2-(Ｈ2Ｏ)ｎ→・ＯＨ＋1/2Ｏ2＋(ｍ＋ｎ)Ｈ2Ｏ  ・・・（１）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ 2・ＯＨ＋Ｏ2＋(ｍ＋ｍ'＋ｎ＋ｎ')Ｈ2Ｏ ・・・（２）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ Ｈ2Ｏ2＋Ｏ2＋(ｍ＋ｍ'＋ｎ＋ｎ')Ｈ2Ｏ ・・・（３）
【００３１】
なお、本実施形態ではイオン発生装置１３によって正イオン及び負イオンを発生しているが、マイナスイオンのみを発生しても良い。
【００３２】
また、本発明において、イオンには帯電微粒子水も含むものとする。このとき、イオン発生装置１３は静電霧化装置からなり、静電霧化装置によってラジカル成分を含む帯電微粒子水が生成される。すなわち、静電霧化装置に設けた放電電極をペルチェ素子により冷却することで放電電極の表面に結露水が生じる。次に、放電電極にマイナスの高電圧を印加すると、結露水から帯電微粒子水が生成される。また、放電電極からは帯電微粒子水とともに空気中に放出される負イオンも発生する。
【００３３】
そして、植物栽培装置１はその動作制御のために、本体筐体２内に図４に示す制御部２０を収容している。制御部２０は図示しない演算部や記憶部等を備え、記憶部等に記憶、入力されたプログラム、データに基づき温湿度調整部６や照明部８、送風ファン１２、イオン発生装置１３などの構成要素を制御して一連の栽培運転を実現する。また、植物栽培装置１は時間を計測するための計時部２１を備え、動作制御に係る各種の時間情報の取得が可能である。
【００３４】
上記構成の植物栽培装置１の運転を開始すると、制御部２０が温湿度調整部６、照明部８、送風ファン１２及びイオン発生装置１３を動作させる。温湿度調整部６は、栽培室３の内部を植物Ｐの栽培に好適な温度、湿度になるように調整し、栽培トレー７の表面温度を例えば２５℃以下に調整する。照明部８においてはＬＥＤ光源８ａが１日のうち、例えば昼間に相当する７０％の時間帯で点灯され、夜間に相当する３０％の時間帯で消灯される。
【００３５】
送風ファン１２を駆動させると、栽培室３内の空気が戻り口１１から送風ダクト９の内部に吸い込まれる。送風ダクト９を流通する空気にはイオン発生装置１３が発生させるイオンが含まれ、栽培室３内の各段の吹出口１０から栽培室３内に向けてそれぞれ吹き出される。このとき、各吹出口１０は例えば水平方向に対して３０°上方に向けて空気を吹き出す。吹出口１０から栽培室３内に向けて吹き出された空気は栽培室３内を循環して戻り口１１から流出する。
【００３６】
そして、吹出口１０から栽培室３内に放出されるイオンによって植物Ｐの付着菌や栽培室３内の浮遊菌の繁殖の抑制や、栽培室３内の脱臭が行われる。
【００３７】
＜第２実施形態＞
次に、本発明の第２実施形態の植物栽培装置について説明する。なお、この実施形態の基本的な構成は図１〜図６を用いて説明した第１実施形態と同じであるので、第１実施形態と共通する構成要素には前と同じ符号を付し、図面の記載及びその説明を省略するものとする。
【００３８】
第２実施形態の植物栽培装置１は、栽培トレー７に植えた植物Ｐの成長に伴って送風ファン１２が流通させる空気の風速を増加させる。制御部２０は、例えば計時部２１から得られる時間情報に基づき栽培日数を演算し、日毎に回転速度が増加するよう送風ファン１２の駆動を制御する。また、例えば植物Ｐの成長具合を把握するためのセンサを設け、このセンサからの出力に基づき日毎に送風ファン１２の回転速度を増加させても良い。なお、送風ファン１２の回転速度の増加ステップは１時間毎、数時間毎、１日毎、数日毎など任意の期間を設定することができる。このようにして、栽培室３の内部では植物Ｐの成長の初期段階において空気の風速が比較的遅くなり、植物Ｐの成長の末期段階において空気の風速が比較的速くなる。
【００３９】
＜第３実施形態＞
次に、本発明の第３実施形態の植物栽培装置として、上記のような植物Ｐの成長に好適な栽培室３の室内環境を得るために、栽培室３内のイオンの分布を比較することで吹出口１０の構成を検討した。
【００４０】
第３実施形態の植物栽培装置１として、吹出口１０の構成を変更したときの栽培室３内のイオン分布及び空気流線の解析結果について、図７〜図１１を用いて説明する。図７は吹出口１０の吹出角度を−３０°下向きにしたとき（比較例１）の栽培室３のイオン分布を示す垂直断面側面図、図８は吹出口１０の吹出角度を０°水平にしたとき（比較例２）の栽培室３のイオン分布を示す垂直断面側面図、図９は吹出口１０の吹出角度を＋３０°上向きにしたとき（実施例）の栽培室３のイオン分布を示す垂直断面側面図である。図１０及び図１１は吹出口１０の吹出角度を−３０°下向き（比較例１）、０°水平（比較例２）、＋３０°上向き（実施例）にしたときの空気の流線比較を示す垂直断面正面図及び水平断面上面図である。
【００４１】
図７〜図９は上記構成の植物栽培装置１において、図５に示す状態まで植物Ｐが成長したときのイオン分布の解析結果を示している（図７〜図９では植物Ｐの描画を省略）。図７〜図９に描画したＳ１−Ｓ１断面、Ｓ２−Ｓ２断面及びＳ３−Ｓ３断面はそれぞれ図５に記したＳ１−Ｓ１線、Ｓ２−Ｓ２線及びＳ３−Ｓ３線における垂直断面を表す。
【００４２】
解析条件としては、送風ダクト９内に送風ファン１２と２個のイオン発生装置１３とを設けた植物栽培装置１の構成を考慮して、上段の吹出口１０の風速を１．０ｍ／ｓとし、中段の吹出口１０の風速を１．５ｍ／ｓとし、下段の吹出口１０の風速を２．５ｍ／ｓとした。同じく解析条件として、上段の吹出口１０のイオン濃度を２５０万個／ｃｍ3とし、中段の吹出口１０のイオン濃度を１５０万個／ｃｍ3とし、下段の吹出口１０のイオン濃度を２５０万個／ｃｍ3とした。植物の成長に好適な栽培室３の室内環境を得ることを考慮して、栽培室３のイオン濃度５万個／ｃｍ3以上確保を目標とした。
【００４３】
図７によれば、比較例１である吹出口１０の吹出角度を−３０°下向きにしたときは、吹出口１０から最も遠いＳ１−Ｓ１断面にイオン濃度５万個／ｃｍ3未満を示す白色領域が多く確認できる。すなわち、栽培室３にイオン濃度５万個／ｃｍ3以上を確保できていない空間が多く存在する。これにより、比較例１の吹出口１０の構成では、吹出口１０から比較的離れた空間までイオンを送り込めないことが分かる。
【００４４】
図８によれば、比較例２である吹出口１０の吹出角度を０°水平にしたときは、Ｓ１−Ｓ１断面及びＳ２−Ｓ２断面の中段にイオン濃度５万個／ｃｍ3未満を示す白色領域がわずかに確認できる。すなわち、栽培室３の一部分にイオン濃度５万個／ｃｍ3以上を確保できていない空間が若干存在する。これにより、比較例２の吹出口１０の構成では、栽培室３の中段に十分にイオンを送り込めないことが分かる。
【００４５】
図９によれば、実施例である吹出口１０の吹出角度を＋３０°上向きにしたときは、すべての断面においてイオン濃度５万個／ｃｍ3未満を示す白色領域が確認できない。すなわち、栽培室３の全域でイオン濃度５万個／ｃｍ3以上を確保できている。これにより、実施例の吹出口１０の構成では、栽培室３の全域にわたって十分にイオンを送り込むことができることが分かる。
【００４６】
図１０及び図１１は上記構成の植物栽培装置１において、図５に示す状態に対して半分程度まで植物Ｐが成長したときの空気の流線の解析結果を示している。解析条件としては、図７〜図９を用いて説明した先の条件と同じである。
【００４７】
図１０及び図１１によれば、比較例１である吹出口１０の吹出角度を−３０°下向きにしたときは、植物Ｐが邪魔をして栽培室３全体的に、特に吹出口１０から比較的離れた箇所に十分に空気が流通できていない空間が多く存在する。また、比較例２である吹出口１０の吹出角度を０°水平にしたときは、吹出口１０に比較的近い箇所、特に栽培室３の背面側に十分に空気が流通できていない空間が存在する。すなわち、比較例１及び比較例２の吹出口１０の構成では、栽培室３の全体に十分にイオンを送り込めないことが分かる。
【００４８】
一方、実施例である吹出口１０の吹出角度を＋３０°上向きにしたときは、渦を巻くように吹出口１０の方向に戻る流れが発生し、栽培室３全体的に十分に空気が流通できている。すなわち、実施例の吹出口１０の構成では、栽培室３の全域にわたって十分にイオンを送り込むことができることが分かる。
【００４９】
上記のように、植物栽培装置１は、扉４により前面が開閉される栽培室３と、栽培室３を上下方向に３段に区分した栽培室３の内底面及び各仕切り部５の上面に配置した栽培トレー７と、各段の天井部に設けた照明部８と、各段の壁部の上部に設けた水平方向より３０°上方に向けて栽培室３内に空気を吹き出す吹出口１０と、栽培室３内の空気が流出する戻り口１１と、戻り口１１と吹出口１０とを連通させる送風ダクト９と、戻り口１１から送風ダクト９の内部に流入する空気を吹出口１０に向けて送風ダクト９の内部で流通させる送風ファン１２と、送風ダクト９の内部を流通する空気にイオンを放出するイオン発生装置１３と、を備える。これにより、植物Ｐの付着菌、栽培空間の浮遊菌の繁殖を抑制するためのイオンを含んだ空気が植物栽培装置１の内部に十分に流通する。そして、そのイオンを含んだ空気は栽培トレー７を有する各段の上部から上方に向けて吹き出される。したがって、イオンを含んだ空気が植物Ｐに直接当たることを防止することができる。さらに、イオンを含んだ空気は各段の天井部、すなわち照明部８に向けて吹き出される。したがって、照明部８の放熱性能を向上させることが可能である。
【００５０】
また、植物栽培装置１は栽培トレー７に植えた植物Ｐの成長に伴って送風ファン１２が流通させる空気の風速を増加させる。これにより、植物Ｐの成長の初期段階において空気の風速が比較的遅くなり、植物Ｐの成長の末期段階において空気の風速が比較的速くなる。植物Ｐの成長の初期段階、すなわち植物Ｐが未だ小さいときには空気の流通空間が比較的広いので、空気の風速はより遅いほうがイオンが滞留し易くなり有効である。さらに、植物Ｐが小さいときに空気の風速が比較的速いと、植物Ｐの体表からの蒸散が促進されて枯れてしまう虞があるので、空気の風速は比較的遅いほうが好ましい。植物Ｐの成長の末期段階、すなわち植物Ｐが大きく成長したときには空気の流通空間が比較的狭くなるので、空気の風速はより速いほうがイオンが隅々まで行き渡り易くなり有効である。
【００５１】
さらに、植物栽培装置１は照明部８とその上方に配置した栽培トレー７との間に設けた仕切り部５に断熱材５ａを備える。これにより、照明部８が発する熱が栽培トレー７に伝わることを防止することができる。したがって、イオンを含んだ空気が植物Ｐに直接当たることを防止できることに加えて、栽培トレー７の温度を好適に維持することが可能である。
【００５２】
そして、本発明の上記実施形態の構成によれば、植物Ｐの成長に悪影響が及ぶことを抑制しながら、植物Ｐの付着菌や栽培空間の浮遊菌の繁殖を抑制することが可能な植物栽培装置１を提供することができる。
【００５３】
以上、本発明の実施形態につき説明したが、本発明の範囲はこれに限定されるものではなく、発明の主旨を逸脱しない範囲で種々の変更を加えて実施することができる。
【産業上の利用可能性】
【００５４】
本発明は植物栽培装置において利用可能である。
【符号の説明】
【００５５】
１    植物栽培装置
２    本体筐体
３    栽培室
４    扉
５    仕切り部
５ａ    断熱材
７    栽培トレー（培養基）
８    照明部
８ａ    ＬＥＤ光源
９    送風ダクト
１０    吹出口
１１    戻り口
１２    送風ファン
１３    イオン発生装置
【図１】
2015008673.tif 000003
【図２】
2015008673.tif 000004
【図３】
2015008673.tif 000005
【図４】
2015008673.tif 000006
【図５】
2015008673.tif 000007
【図６】
2015008673.tif 000008
【図７】
2015008673.tif 000009
【図８】
2015008673.tif 000010
【図９】
2015008673.tif 000011
【図１０】
2015008673.tif 000012
【図１１】
2015008673.tif 000013